(57)【要約】  室内機本体の前面側に設けられる矩形状の前面パネルを備えた空気調和機の室内機であって、前面パネルは、ベースパネルの前面側に意匠パネルが取り付けられているものであり、意匠パネルのフランジがベースパネルの溝部に収納されており、ベースパネルの第一嵌合部と意匠パネルの第二嵌合部とが嵌合しているものである。
2017094115.tif 000002
【特許請求の範囲】
【請求項１】
室内機本体の前面側に設けられる前面パネルを備えた空気調和機の室内機であって、
前記前面パネルは、
不透明部材で成形されたベースパネルと、
透明部材で成形され、背面に意匠層を有する意匠パネルと、で構成されており、
前記ベースパネルの前面は、
鉛直方向における端部に水平方向に沿って第一側壁部が設けられており、
前記第一側壁部よりも内側に水平方向に沿って第二側壁部が設けられており、
前記第一側壁部と前記第二側壁部との間には、水平方向に沿って連続した凹形状の溝部が設けられており、
前記第一側壁部の内面側には、水平方向に沿って第一嵌合部が間隔を空けて複数設けられており、
前記意匠パネルの背面は、
鉛直方向における端部よりも内側に水平方向に沿って突出したフランジが設けられており、
前記フランジの外面側には、水平方向に沿って第二嵌合部が間隔を空けて複数設けられており、
前記第一嵌合部は凸形状の爪部で前記第二嵌合部は凹形状の凹部、または、前記第一嵌合部は凹形状の凹部で前記第二嵌合部は凸形状の爪部であり、
前記前面パネルは、
前記ベースパネルの前面側に前記意匠パネルが取り付けられているものであり、
前記意匠パネルの前記フランジが前記ベースパネルの前記溝部に収納されており、前記ベースパネルの前記第一嵌合部と前記意匠パネルの前記第二嵌合部とが嵌合しているものである
空気調和機の室内機。
【請求項２】
前記第二側壁部の外面側には、長手方向に沿って凸形状のリブが間隔を空けて複数設けられており、
前記リブは、前記意匠パネルの前記フランジの内面側に接触するものである
請求項１に記載の空気調和機の室内機。
【請求項３】
室内機本体の前面側に設けられる矩形状の前面パネルを備えた空気調和機の室内機であって、
前記前面パネルは、
不透明部材で成形されたベースパネルと、
透明部材で成形され、背面に意匠層を有する意匠パネルと、で構成されており、
前記ベースパネルの前面は、
鉛直方向における端部に水平方向に沿って第一側壁部が設けられており、
前記第一側壁部よりも内側に水平方向に沿って第二側壁部が設けられており、
前記第一側壁部と前記第二側壁部との間には、水平方向に沿って連続した凹形状の溝部が設けられており、
前記第二側壁部の外面側には、水平方向に沿って第一嵌合部が間隔を空けて複数設けられており、
前記意匠パネルの背面は、
鉛直方向における端部よりも内側に水平方向に沿って突出したフランジが設けられており、
前記フランジの内面側には、水平方向に沿って第二嵌合部が間隔を空けて複数設けられており、
前記第一嵌合部は凸形状の爪部で前記第二嵌合部は凹形状の凹部、または、前記第一嵌合部は凹形状の凹部で前記第二嵌合部は凸形状の爪部であり、
前記前面パネルは、
前記ベースパネルの前面側に前記意匠パネルが取り付けられているものであり、
前記意匠パネルの前記フランジが前記ベースパネルの前記溝部に収納されており、前記ベースパネルの前記第一嵌合部と前記意匠パネルの前記第二嵌合部とが嵌合しているものである
空気調和機の室内機。
【請求項４】
前記第一側壁部の内面側には、長手方向に沿って凸形状のリブが間隔を空けて複数設けられており、
前記リブは、前記意匠パネルの前記フランジの外面側に接触するものである
請求項３に記載の空気調和機の室内機。
【請求項５】
前記第一嵌合部は前記爪部であり、前記第二嵌合部は前記凹部である
請求項１〜４のいずれか一項に記載の空気調和機の室内機。
【請求項６】
前記第一嵌合部は前記凹部であり、前記第二嵌合部は前記爪部である
請求項１〜４のいずれか一項に記載の空気調和機の室内機。
【請求項７】
前記第一嵌合部が設けられている位置と前記第二嵌合部が設けられている位置とは、
水平方向にずれている
請求項１〜６のいずれか一項に記載の空気調和機の室内機。
【発明の詳細な説明】
【技術分野】
【０００１】
本発明は、前面パネルの意匠性を向上させた空気調和機の室内機に関するものである。
【背景技術】
【０００２】
従来の空気調和機の室内機において、前面パネルの前面側を構成する意匠パネルを透明部材で成形し、その背面側に塗装を施すことで、この塗装面が透明部材を透過して正面の外観上に現れ、室内機の意匠性を向上させたものがある（例えば、特許文献１参照）。【０００３】
特許文献１では、不透明部材で成形され、前面パネルを回転可能に室内機本体の前面に取り付けるヒンジが背面側に設けられたベースパネルが、意匠パネルに取り付けられることにより、前面パネルの背面側を構成している。【０００４】
また、意匠パネルは、鉛直方向における両端部にそれぞれ固定孔が形成されており、ベースパネルは、鉛直方向における両端部にそれぞれ爪部が設けられている。そして、ベースパネルの爪部が意匠パネルの固定孔にそれぞれ挿入されることにより、意匠パネルの背面側にベースパネルが取り付けられる。
【先行技術文献】
【特許文献】
【０００５】
【特許文献１】特許第５０６１８１２号公報
【発明の概要】
【発明が解決しようとする課題】
【０００６】
前面パネルが室内機本体に対して開いた状態である場合、特許文献１では、外側から意匠パネルの固定孔、およびその固定孔からベースパネルの爪部が見えてしまっていたため、前面パネルの意匠性が劣るという課題があった。
また、仮に意匠パネルの固定孔を凹形状とし、固定孔が見えないようにしたとしても、意匠パネルは透明部材で成形されているため、凹形状の部分からベースパネルの爪部が透けて見えてしまうという課題があった。【０００７】
本発明は、以上のような課題を解決するためになされたもので、前面が透明部材で成形された意匠パネルで構成された前面パネルにおいて、意匠性を向上させた空気調和機の室内機を提供することを目的としている。
【課題を解決するための手段】
【０００８】
本発明に係る空気調和機の室内機は、室内機本体の前面側に設けられる前面パネルを備えた空気調和機の室内機であって、前記前面パネルは、不透明部材で成形されたベースパネルと、透明部材で成形され、背面に意匠層を有する意匠パネルと、で構成されており、前記ベースパネルの前面は、鉛直方向における端部に水平方向に沿って第一側壁部が設けられており、前記第一側壁部よりも内側に水平方向に沿って第二側壁部が設けられており、前記第一側壁部と前記第二側壁部との間には、水平方向に沿って連続した凹形状の溝部が設けられており、前記第一側壁部の内面側には、水平方向に沿って第一嵌合部が間隔を空けて複数設けられており、前記意匠パネルの背面は、鉛直方向における端部よりも内側に水平方向に沿って突出したフランジが設けられており、前記フランジの外面側には、水平方向に沿って第二嵌合部が間隔を空けて複数設けられており、前記第一嵌合部は凸形状の爪部で前記第二嵌合部は凹形状の凹部、または、前記第一嵌合部は凹形状の凹部で前記第二嵌合部は凸形状の爪部であり、前記前面パネルは、前記ベースパネルの前面側に前記意匠パネルが取り付けられているものであり、前記意匠パネルの前記フランジが前記ベースパネルの前記溝部に収納されており、前記ベースパネルの前記第一嵌合部と前記意匠パネルの前記第二嵌合部とが嵌合しているものである。
【発明の効果】
【０００９】
本発明に係る空気調和機の室内機によれば、前面パネルは、意匠パネルのフランジがベースパネルの溝部に収納され、ベースパネルの第一嵌合部と意匠パネルの第二嵌合部とが嵌合することにより、ベースパネルの前面側にベースパネルを覆うように意匠パネルが取り付けられる。このとき、前面パネルの鉛直方向における側部において、第一嵌合部は、不透明なベースパネルの第一側壁部の内面側に設けられており、また、透明であるが背面側に意匠層が形成された意匠パネルの第二嵌合部は、不透明なベースパネルの第一側壁部の内側に位置している。そのため、外側からベースパネルの第一嵌合部および意匠パネルの第二嵌合部が見えない構成となっており、前面が透明部材で成形された意匠パネルで構成された前面パネルの意匠性を向上させることができる。
【図面の簡単な説明】
【００１０】
【図１】本発明の実施の形態１に係る空気調和機の室内機を正面側から見た外観斜視図である。
【図２】本発明の実施の形態１に係る空気調和機の室内機の縦断面図である。
【図３】本発明の実施の形態１に係る空気調和機の室内機のベースパネルの前面およびその一部を拡大した斜視図である。
【図４】本発明の実施の形態１に係る空気調和機の室内機のベースパネルの前面を示す斜視図である。
【図５】本発明の実施の形態１に係る空気調和機の室内機のベースパネルの背面を示す斜視図である。
【図６】本発明の実施の形態１に係る空気調和機の室内機の意匠パネルの前面を示す斜視図である。
【図７】本発明の実施の形態１に係る空気調和機の室内機の意匠パネルの背面およびその一部を拡大した斜視図である。
【図８】図６のＡ−Ａ断面図である。
【図９】図６のＢ−Ｂ断面図である。
【図１０】図６のＣ−Ｃ断面図である。
【図１１】本発明の実施の形態に係る空気調和機の室内機の前面パネルの前面を示す斜視図で意匠パネルをベースパネルに取り付ける前の図である。
【図１２】本発明の実施の形態１に係る空気調和機の室内機の前面パネル前面を示す斜視図である。
【図１３】本発明の実施の形態１に係る空気調和機の室内機の前面パネル背面を示す斜視図である。
【図１４】図１２のＸ−Ｘ断面図である。
【図１５】図１２のＹ−Ｙ断面図である。
【図１６】図１２のＺ−Ｚ断面図である。
【図１７】図１２のＸ−Ｘ断面図である。
【図１８】図１２のＸ−Ｘ断面図である。
【図１９】図１２のＸ−Ｘ断面図である。
【発明を実施するための形態】
【００１１】
以下、本発明の実施の形態１を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る空気調和機の室内機を正面側から見た外観斜視図であり、図２は、本発明の実施の形態１に係る空気調和機の室内機の縦断面図である。
なお、図１は、前面パネル２０ａが室内機本体１００に対して開いた状態を示している。図２は、図の左側を室内機の前面側として示している。
また、以下の説明において、理解を容易にするために方向を表す用語（例えば「上」、「下」、「右」、「左」など）を適宜用いるが、これは説明のためのものであって、これらの用語は本願発明を限定するものではない。また、本実施の形態１では、特に断りがない場合は室内機を正面視した状態において、「上」、「下」、「右」、「左」を使用するものとする。
【００１３】
以下、図１および図２に基づいて、室内機の構成について説明する。  
本実施の形態１に係る室内機は、冷媒を循環させる冷凍サイクルを利用することで室内などの空調対象域に空調空気を供給するものである。なお、本実施の形態１では、室内機が空調対象域の壁面に取り付けられる壁掛け型である場合を例に示している。
【００１４】
室内機本体１００は、背面側に設けられ壁面に取り付けられる背面ケース１と、前面側に設けられ中央凹部１１および前面吸込口１２が形成されたベースパネル２と、ベースパネル２の前面側に取り付けられる意匠パネル３と、で構成される前面パネル２０ａと、上部に開口形成され、主に室内空気を内部に吸い込むための上部吸込口４と、下部に開口形成され、空調空気を空調対象域に供給するための吹出口５と、を備えている。
【００１５】
室内機本体１００内には、上部吸込口４および前面吸込口１２から室内空気を吸い込み、吹出口５から空調空気を吹き出す送風ファン６と、送風ファン６を上方から覆うように配置され、冷媒と室内空気とで熱交換することで空調空気を作り出す熱交換器７と、が収納されている。そして、これらの構成要素により室内機本体１００内に空気流路が連通されている。また、室内機本体１００内にはさらに、回路基板などを収容する図示省略の電気品箱と、熱交換器７の下端部の下方に設けられ、熱交換器７の結露水を回収するドレンパン８と、を備えている。
【００１６】
なお、送風ファン６は、例えばクロスフローファンであり、熱交換器７は、例えばフィンアンドチューブ型熱交換器であるが、それらに限定されない。
【００１７】
また、上部吸込口４および前面吸込口１２と熱交換器７との間には、吸い込まれた室内空気に含まれる塵埃などを取り除くためのフィルター９が設けられている。さらに、吹出口５には、気流の吹出し方向を制御する上下風向調整板１０が設けられている。
【００１８】
次に、室内機本体１００内における空気の流れについて簡単に説明する。
まず、室内空気は、送風ファン６によって室内機本体１００の上部吸込口４および前面吸込口１２から室内機本体１００内に流れ込む。このとき、フィルター９によって空気に含まれている塵埃などが除去される。この室内空気は、熱交換器７を通過する際に熱交換器７内を導通している冷媒によって加熱または冷却されて空調空気となる。そして、空調空気は、上下風向調整板１０によって風向きが調整され、吹出口５から室内機本体１００の外部、つまり空調対象域に吹き出されるようになっている。
【００１９】
図３は、本発明の実施の形態１に係る空気調和機の室内機のベースパネル２の前面およびその一部を拡大した斜視図であり、図４は、本発明の実施の形態１に係る空気調和機の室内機のベースパネル２の前面を示す斜視図であり、図５は、本発明の実施の形態１に係る空気調和機の室内機のベースパネル２の背面を示す斜視図である。
なお、図４において、凹部２ｄの図示を省略する代わりに凹部２ｄの位置から線を引き、凹部２ｄの位置関係を図示している。
【００２０】
ベースパネル２は、不透明部材、例えば不透明樹脂で成形されており、前面側から背面側が透けないようになっている。また、図３に示すように前面が一部を除いてフラットな面形状になっている。また、矩形状を有し、室内機本体１００が壁面に取り付けられた状態において正面視して、長手方向が左右方向、つまり、水平方向となり、短手方向が上下方向、つまり、鉛直方向となる。また、ベースパネル２は、ベースパネル上部１５、ベースパネル下部１６、中央凹部１１、および、接続部１７で構成されている。
【００２１】
ベースパネル２は、正面視して上下方向の中央に、左端部２ｆ１の内側から右端部２ｆ２の内側まで伸びる中央凹部１１が形成されている。そのため、ベースパネル２は、上下方向の中央が前面側から背面側に向かって凹んでいる。また、中央凹部１１は、前面側から背面側に向かって凹んでおり、中央凹部１１の下部には、前面吸込口１２（図２参照）が形成されている。なお、中央凹部１１が形成されている位置は、厳密に上下方向の中央でなくてもよい。
【００２２】
また、ベースパネル２は、正面視して中央凹部１１の上側に矩形状のベースパネル上部１５が設けられており、正面視して中央凹部１１の下側に矩形状のベースパネル下部１６が設けられている。また、ベースパネル２の背面側には長手方向に沿って複数の接続部１７が設けられており、ベースパネル上部１５とベースパネル下部１６とは、この接続部１７により接続されている。
【００２３】
ベースパネル上部１５およびベースパネル下部１６の前面において、図３に示すように、短手方向における端部２ａには、長手方向に沿って左端部２ｆ１から右端部２ｆ２まで伸びる第一側壁部２ｃが設けられている。また、第一側壁部２ｃの内面側には、長手方向に沿って凹形状の凹部２ｄが間隔を空けて複数形成されている。また、第一側壁部２ｃよりも内側には、長手方向に沿って左端部２ｆ１から右端部２ｆ２まで伸びる第二側壁部２ｅが設けられており、第一側壁部２ｃと第二側壁部２ｅとは互いに対向している。第二側壁部２ｅの外面側には、長手方向に沿って凸形状のリブ２ｊが間隔を空けて複数設けられている。このリブ２ｊは爪部３ｃに対して長手方向にずれた位置に設けられている。
また、第一側壁部２ｃと第二側壁部２ｅとの間には、長手方向に沿って左端部２ｆ１から右端部２ｆ２まで伸びる溝部２ｂが形成されている。
なお、溝部２ｂは長手方向に沿って連続した凹形状を有し、第一側壁部２ｃおよび第二側壁部２ｅは、溝部２ｂに対して前面側に向かって突出している。
【００２４】
また、図４に示すように、ベースパネル上部１５の短手方向における上端部２ａ１と下端部２ａ２、およびベースパネル下部１６の短手方向における上端部２ａ１と下端部２ａ２において、凹部２ｄの形成されている位置が長手方向に長さＡだけずれている。これは、意匠パネル３をベースパネル上部１５およびベースパネル下部１６に取り付ける際に、意匠パネル３の取り付け方向が上下逆さになるのを防ぐためである。なお、意匠パネル３の取り付け方向が上下逆さになるのを防ぐ必要がない場合は、ベースパネル上部１５の短手方向における上端部２ａ１と下端部２ａ２、およびベースパネル下部１６の短手方向における上端部２ａ１と下端部２ａ２とにおいて、凹部２ｄの形成されている位置を長手方向にずらさなくてもよい。
【００２５】
また、ベースパネル上部１５の背面には、図５に示すように、室内機本体１００の前面に取り付けるためのヒンジ２ｉが左右に二つ設けられている。そして、このヒンジ２ｉを室内機本体１００の前面に形成されたヒンジ用孔（図示せず）に挿入することにより、前面パネル２０ａが開閉可能に室内機本体１００の前面に取り付けられる。なお、ヒンジ２ｉの数は二つに限定されない。また、ベースパネル上部１５およびベースパネル下部１６の背面の長手方向における両方の端部２ｆには、背面側に向かって突出したフランジ２ｇが設けられている。
【００２６】
図６は、本発明の実施の形態１に係る空気調和機の室内機の意匠パネル３の前面を示す斜視図であり、図７は、本発明の実施の形態１に係る空気調和機の室内機の意匠パネル３の背面およびその一部を拡大した斜視図であり、図８は、図６のＡ−Ａ断面図であり、図９は、図６のＢ−Ｂ断面図であり、図１０は、図６のＣ−Ｃ断面図である。なお、図６および図７では、意匠パネル３を上下に２つ並べて示している。
【００２７】
意匠パネル３は、透明部材、例えば透明樹脂で成形されており、背面に意匠層３ｆが形成されている。この意匠層３ｆには、例えば、塗装、印刷などにより、着色、模様、絵画などが施されている。そのため、前面側から透明樹脂を通して意匠層３ｆが見えるようになっている。また、図６に示すように前面の全体がフラットな面形状になっている。また、矩形状を有し、室内機本体１００が壁面に取り付けられた状態において正面視して、長手方向が左右方向、つまり、水平方向となり、短手方向が上下方向、つまり、鉛直方向となる。
【００２８】
また、図６〜図８に示すように、意匠パネル３の背面の短手方向における端部３ａ近くで端部３ａよりも内側の位置には、長手方向に沿って背面側に向かって突出した第一フランジ３ｂが設けられており、長手方向における端部３ｇには、短手方向に沿って背面側に向かって突出した第二フランジ３ｅが設けられている。また、第一フランジ３ｂの外面側には、長手方向に沿って凸形状の爪部３ｃが間隔を空けて複数設けられており、これら爪部３ｃは、ベースパネル２の凹部２ｄに対応した位置に設けられている。ここで、爪部３ｃは、意匠パネル３の外側に向かって突出している。
【００２９】
図１１は、本発明の実施の形態に係る空気調和機の室内機の前面パネル２０ａの前面を示す斜視図で意匠パネル３をベースパネル２に取り付ける前の図であり、図１２は、本発明の実施の形態１に係る空気調和機の室内機の前面パネル２０ａの前面を示す斜視図であり、図１３は、本発明の実施の形態１に係る空気調和機の室内機の前面パネル２０ａの背面を示す斜視図であり、図１４は、図１２のＸ−Ｘ断面図であり、図１５は、図１２のＹ−Ｙ断面図であり、図１６は、図１２のＺ−Ｚ断面図である。なお、図１２および図１６は、後述する実施の形態２〜４の前面パネル２０ｂ、２０ｃ、２０ｄの図としても用いる。また、図１２のＸ−Ｘ断面図、Ｙ−Ｙ断面図、および、Ｚ−Ｚ断面図は、前面パネル２０ａの上側、つまり、ベースパネル上部１５に意匠パネル３が取り付けられた断面図であるが、前面パネル２０ａの下側、つまり、ベースパネル下部１６に意匠パネル３が取り付けられた断面図でも同様である。
【００３０】
室内機本体１００の前面に取り付けられる矩形状の前面パネル２０ａは、ベースパネル２と意匠パネル３とで構成されている。そして、図１１に示すように、ベースパネル上部１５およびベースパネル下部１６の前面全体を覆うように、ベースパネル上部１５およびベースパネル下部１６に意匠パネル３がそれぞれ取り付けられる。
【００３１】
前面パネル２０ａは短手方向における側部において、図１５に示すように、意匠パネル３の第一フランジ３ｂがベースパネル２の溝部２ｂに挿入され、意匠パネル３の第一フランジ３ｂがベースパネル２の溝部２ｂに収納されるように取り付けられる。また、図１４に示すように、意匠パネル３の爪部３ｃがベースパネル２の凹部２ｄに挿入され、意匠パネル３の爪部３ｃがベースパネル２の凹部２ｄに嵌合するように取り付けられる。また、前面パネル２０ａは長手方向における側部において、図１６に示すように、ベースパネル２のフランジ２ｇを意匠パネル３の第二フランジ３ｅで覆うように取り付けられる。また、溝部２ｂには、長手方向に沿って設けられた複数のリブ２ｊがあり、それらリブ２ｊは第一フランジ３ｂの内面側に接触する。
【００３２】
このとき、意匠パネル３の爪部３ｃがベースパネル２の凹部２ｄに嵌合することで前後左右方向の動きを規制し、意匠パネル３の第一フランジ３ｂがリブ２ｊと接触することで上下方向の動きおよび爪部３ｃの抜けを規制する。また、空気調和機の室内機の運転時において、このように第一フランジ３ｂがリブ２ｊと接触することで、意匠パネル３のベースパネル２に対する接触面積を減らすことができるため、空気調和機の室内機の運転時における接触音を減らすことができる。
【００３３】
また、前面パネル２０ａの短手方向における側部において、図１４および図１５に示すように、意匠パネル３の端部３ａが、ベースパネル上部１５およびベースパネル下部１６の第一側壁部２ｃと同じ高さに位置するようになっている。また、前面パネル２０ａの長手方向における側部において、上記の通り、ベースパネル２のフランジ２ｇが意匠パネル３の第二フランジ３ｅで覆われるようになっている。そのため、正面視してベースパネル上部１５およびベースパネル下部１６が意匠パネル３に隠れるようになっている。また、前面パネル２０ａの短手方向において、意匠パネル３の端部３ａが、ベースパネル上部１５およびベースパネル下部１６の第一側壁部２ｃと同じ高さに位置するようになっている。そのため、前面パネル２０ａを側面視した際に、ベースパネル２と意匠パネル３との境目を目立たなくすることができ、前面パネル２０ａの意匠性を向上させることができる。
【００３４】
なお、本実施の形態１では、意匠パネル３の端部３ａが、ベースパネル上部１５およびベースパネル下部１６の第一側壁部２ｃと同じ高さに位置するようになっているとしたが、それに限定されず、意匠パネル３の端部３ａが、ベースパネル上部１５およびベースパネル下部１６の第一側壁部２ｃを上側または下側に超える位置となっていればよい。そうすることによっても、正面視してベースパネル上部１５およびベースパネル下部１６が意匠パネル３に隠れるようにすることができる。
【００３５】
なお、ベースパネル上部１５と意匠パネル３との取付構造、およびベースパネル下部１６と意匠パネル３との取付構造は、上記で説明した通りであり、同一である。
【００３６】
以上のように、本実施の形態１に係る空気調和機の室内機によれば、前面パネル２０ａは、意匠パネル３の第一フランジ３ｂがベースパネル２の溝部２ｂに収納され、ベースパネル２の凹部２ｄと意匠パネル３の爪部３ｃとが嵌合することにより、ベースパネル２の前面側にベースパネル２を覆うように意匠パネル３が取り付けられる。このとき、前面パネル２０ａの短手方向における側部において、凹部２ｄは、不透明なベースパネル２の第一側壁部２ｃの内面側に設けられており、また、透明であるが背面側に意匠層３ｆが形成された意匠パネル３の爪部３ｃは、不透明なベースパネル２の第一側壁部２ｃの内側に位置している。そのため、外側からベースパネル２の凹部２ｄおよび意匠パネル３の爪部３ｃが見えない構成となっており、前面パネル２０ａの意匠性を向上させることができる。
【００３７】
なお、本実施の形態１に係る前面パネル２０ａは、ベースパネル上部１５およびベースパネル下部１６のそれぞれに意匠パネル３が取り付けられる構成としたが、それに限定されない。例えば、中央凹部１１を有さず、ベースパネル上部１５およびベースパネル下部１６のいずれか一方のみで構成されるベースパネルに対して、その前面の全体を覆うように一つの意匠パネルを取り付ける構成としてもよい。また、ベースパネルに対してその前面の全体を覆うように３つ以上の意匠パネルを取り付ける構成としてもよい。それらの場合においても前面パネルの取付構造は、上記で説明したものと同様となる。
【００３８】
なお、本実施の形態１に係るベースパネル上部１５およびベースパネル下部１６は、本発明の「ベースパネル」に相当し、凹部２ｄは、本発明の「第一嵌合部」に相当し、爪部３ｃは、本発明の「第二嵌合部」に相当し、第一フランジ３ｂは、本発明の「フランジ」に相当する。
【００３９】
実施の形態２．
以下、本発明の実施の形態２について説明するが、実施の形態１と重複するものについては（一部の）説明を省略し、実施の形態１と同じ部分または相当する部分には同じ符号を付す。
【００４０】
図１７は、図１２のＸ−Ｘ断面図である。
本実施の形態２に係る前面パネル２０ｂでは、図１４に示す実施の形態１に係る意匠パネル３の爪部３ｃおよびベースパネル２の凹部２ｄの代わりに、ベースパネル２の第一側壁部２ｃの内面側に凸形状の爪部２ｈが設けられており、意匠パネル３の第一フランジ３ｂの外面側に凹形状の凹部３ｈが形成されている。また、第二側壁部２ｅの外面側に凸形状のリブ２ｊが設けられている。なお、爪部２ｈはベースパネル２の内側に向かって突出しており、リブ２ｊはベースパネル２の外側に向かって突出している。
【００４１】
前面パネル２０ｂは短手方向における側部において、図１７に示すように、意匠パネル３の第一フランジ３ｂがベースパネル２の溝部２ｂに挿入され、意匠パネル３の第一フランジ３ｂがベースパネル２の溝部２ｂに収納されるように取り付けられる。また、ベースパネル２の爪部２ｈが意匠パネル３の凹部３ｈに挿入され、ベースパネル２の爪部２ｈが意匠パネル３の凹部３ｈに嵌合するように取り付けられる。また、前面パネル２０ａは長手方向における側部において、図１６に示すように、ベースパネル２のフランジ２ｇを意匠パネル３の第二フランジ３ｅで覆うように取り付けられる。また、溝部２ｂには、長手方向に沿って設けられた複数のリブ２ｊがあり、それらリブ２ｊは意匠パネル３の第一フランジ３ｂの内面側に接触する。
【００４２】
このとき、ベースパネル２の爪部２ｈが意匠パネル３の凹部３ｈに嵌合することで前後左右方向の動きを規制し、意匠パネル３の第一フランジ３ｂがリブ２ｊと接触することで上下方向の動きおよび爪部２ｈの抜けを規制する。また、空気調和機の室内機の運転時において、このように第一フランジ３ｂがリブ２ｊと接触することで、意匠パネル３のベースパネル２に対する接触面積を減らすことができるため、空気調和機の室内機の運転時における接触音を減らすことができる。
【００４３】
以上のように、本実施の形態２に係る空気調和機の室内機によれば、前面パネル２０ｂは、意匠パネル３の第一フランジ３ｂがベースパネル２の溝部２ｂに収納され、ベースパネル２の爪部２ｈと意匠パネル３の凹部３ｈとが嵌合することにより、ベースパネル２の前面側にベースパネル２を覆うように意匠パネル３が取り付けられる。このとき、前面パネル２０ａの短手方向における側部において、爪部２ｈは、不透明なベースパネル２の第一側壁部２ｃの内面側に設けられており、また、透明であるが背面側に意匠層３ｆが形成された意匠パネル３の凹部３ｈは、不透明なベースパネル２の第一側壁部２ｃの内側に位置している。そのため、外側からベースパネル２の爪部２ｈおよび意匠パネル３の凹部３ｈが見えない構成となっており、前面パネル２０ｂの意匠性を向上させることができる。
【００４４】
なお、本実施の形態２に係る爪部２ｈは、本発明の「第一嵌合部」に相当し、本実施の形態２に係る凹部３ｈは、本発明の「第二嵌合部」に相当する。
【００４５】
実施の形態３．
以下、本発明の実施の形態３について説明するが、実施の形態１および２と重複するものについては（一部の）説明を省略し、実施の形態１および２と同じ部分または相当する部分には同じ符号を付す。
【００４６】
図１８は、図１２のＸ−Ｘ断面図である。
実施の形態１に係る前面パネル２０ａでは、意匠パネル３の爪部３ｃは、図１４に示すように第一フランジ３ｂの外面側に設けられているが、本実施の形態３に係る前面パネル２０ｃでは、図１８に示すように、第一フランジ３ｂの内面側に設けられている。また、実施の形態１に係る前面パネル２０ａでは、ベースパネル２の凹部２ｄは、図１４に示すように第一側壁部２ｃの内面側に形成されているが、本実施の形態３に係る前面パネル２０ｃでは、図１８に示すように、第一側壁部２ｃと対向する第二側壁部２ｅの外面側に形成されている。また、第一側壁部２ｃの内面側に凸形状のリブ２ｊが設けられている。なお、爪部３ｃは意匠パネル３の内側に向かって突出しており、リブ２ｊはベースパネル２の内側に向かって突出している。
【００４７】
前面パネル２０ｃは短手方向における側部において、図１８に示すように、意匠パネル３の第一フランジ３ｂがベースパネル２の溝部２ｂに挿入され、意匠パネル３の第一フランジ３ｂがベースパネル２の溝部２ｂに収納されるように取り付けられる。また、意匠パネル３の爪部３ｃがベースパネル２の凹部２ｄに挿入され、意匠パネル３の爪部３ｃがベースパネル２の凹部２ｄに嵌合するように取り付けられる。また、前面パネル２０ａは長手方向における側部において、図１６に示すように、ベースパネル２のフランジ２ｇを意匠パネル３の第二フランジ３ｅで覆うように取り付けられる。また、溝部２ｂには、長手方向に沿って設けられた複数のリブ２ｊがあり、それらリブ２ｊは意匠パネル３の第一フランジ３ｂの外面側に接触する。
【００４８】
このとき、意匠パネル３の爪部３ｃがベースパネル２の凹部２ｄに嵌合することで前後左右方向の動きを規制し、意匠パネル３の第一フランジ３ｂがリブ２ｊと接触することで上下方向の動きおよび爪部３ｃの抜けを規制する。また、空気調和機の室内機の運転時において、このように第一フランジ３ｂがリブ２ｊと接触することで、意匠パネル３のベースパネル２に対する接触面積を減らすことができるため、空気調和機の室内機の運転時における接触音を減らすことができる。
【００４９】
以上のように、本実施の形態３に係る空気調和機の室内機によれば、前面パネル２０ｃは、意匠パネル３の第一フランジ３ｂがベースパネル２の溝部２ｂに収納され、ベースパネル２の凹部２ｄと意匠パネル３の爪部３ｃとが嵌合することにより、ベースパネル２の前面側にベースパネル２を覆うように意匠パネル３が取り付けられる。このとき、前面パネル２０ｃの短手方向における側部において、凹部２ｄは、不透明なベースパネル２の第一側壁部２ｃの内側に位置する第二側壁部２ｅに設けられており、また、透明であるが背面側に意匠層３ｆが形成された意匠パネル３の爪部３ｃは、不透明なベースパネル２の第一側壁部２ｃの内側に位置している。そのため、外側からベースパネル２の凹部２ｄおよび意匠パネル３の爪部３ｃが見えない構成となっており、前面パネル２０ｃの意匠性を向上させることができる。
【００５０】
なお、本実施の形態３に係る凹部２ｄは、本発明の「第一嵌合部」に相当し、本実施の形態３に係る爪部３ｃは、本発明の「第二嵌合部」に相当する。
【００５１】
実施の形態４．
以下、本発明の実施の形態４について説明するが、実施の形態１〜３と重複するものについては（一部の）説明を省略し、実施の形態１〜３と同じ部分または相当する部分には同じ符号を付す。
【００５２】
図１９は、図１２のＸ−Ｘ断面図である。
実施の形態２に係る前面パネル２０ｂでは、ベースパネル２の爪部２ｈは、図１７に示すように、第一側壁部２ｃに内面側に設けられているが、本実施の形態４に係る前面パネル２０ｄでは、図１９に示すように、第二側壁部２ｅの外面側に設けられている。また、実施の形態２に係る前面パネル２０ｂでは、意匠パネル３の凹部３ｈは、図１７に示すように、第一フランジ３ｂの外面側に形成されているが、本実施の形態４に係る前面パネル２０ｄでは、図１９に示すように、第一フランジ３ｂの内面側に形成されている。また、第一側壁部２ｃの内面側に凸形状のリブ２ｊが設けられている。なお、爪部２ｈはベースパネル２の外側に向かって突出しており、リブ２ｊはベースパネル２の内側に向かって突出している。
【００５３】
前面パネル２０ｃは短手方向における側部において、図１９に示すように、意匠パネル３の第一フランジ３ｂがベースパネル２の溝部２ｂに挿入され、意匠パネル３の第一フランジ３ｂがベースパネル２の溝部２ｂに収納されるように取り付けられる。また、ベースパネル２の爪部２ｈが意匠パネル３の凹部３ｈに挿入され、ベースパネル２の爪部２ｈが意匠パネル３の凹部３ｈに嵌合するように取り付けられる。また、前面パネル２０ａは長手方向における側部において、図１６に示すように、ベースパネル２のフランジ２ｇを意匠パネル３の第二フランジ３ｅで覆うように取り付けられる。また、溝部２ｂには、長手方向に沿って設けられた複数のリブ２ｊがあり、それらリブ２ｊは意匠パネル３の第一フランジ３ｂの外面側に接触する。
【００５４】
このとき、ベースパネル２の爪部２ｈが意匠パネル３の凹部３ｈに嵌合することで前後左右方向の動きを規制し、意匠パネル３の第一フランジ３ｂがリブ２ｊと接触することで上下方向の動きおよび爪部２ｈの抜けを規制する。また、空気調和機の室内機の運転時において、このように第一フランジ３ｂがリブ２ｊと接触することで、意匠パネル３のベースパネル２に対する接触面積を減らすことができるため、空気調和機の室内機の運転時における接触音を減らすことができる。
【００５５】
以上のように、本実施の形態４に係る空気調和機の室内機によれば、前面パネル２０ｄは、意匠パネル３の第一フランジ３ｂがベースパネル２の溝部２ｂに収納され、ベースパネル２の爪部２ｈと意匠パネル３の凹部３ｈとが嵌合することにより、ベースパネル２の前面側にベースパネル２を覆うように意匠パネル３が取り付けられる。このとき、前面パネル２０ｄの短手方向における側部において、爪部２ｈは、不透明なベースパネル２の第一側壁部２ｃの内側に位置する第二側壁部２ｅに設けられており、また、透明であるが背面側に意匠層３ｆが形成された意匠パネル３の凹部３ｈは、不透明なベースパネル２の第一側壁部２ｃの内側に位置している。そのため、外側からベースパネル２の爪部２ｈおよび意匠パネル３の凹部３ｈが見えない構成となっており、前面パネル２０ｄの意匠性を向上させることができる。
【００５６】
なお、本実施の形態４に係る爪部２ｈは、本発明の「第一嵌合部」に相当し、本実施の形態４に係る凹部３ｈは、本発明の「第二嵌合部」に相当する。
【符号の説明】
【００５７】
１  背面ケース、２  ベースパネル、２ａ  端部、２ａ１  上端部、２ａ２  下端部、２ｂ  溝部、２ｃ  第一側壁部、２ｄ  凹部、２ｅ  第二側壁部、２ｆ  端部、２ｆ１  左端部、２ｆ２  右端部、２ｇ  フランジ、２ｈ  爪部、２ｉ  ヒンジ、２ｊ  リブ、３  意匠パネル、３ａ  端部、３ｂ  第一フランジ、３ｃ  爪部、３ｅ  第二フランジ、３ｆ  意匠層、３ｇ  端部、３ｈ  凹部、４  上部吸込口、５  吹出口、６  送風ファン、７  熱交換器、８  ドレンパン、９  フィルター、１０  上下風向調整板、１１  中央凹部、１２  前面吸込口、１５  ベースパネル上部、１６  ベースパネル下部、１７  接続部、２０ａ  前面パネル、２０ｂ  前面パネル、２０ｃ  前面パネル、２０ｄ  前面パネル、１００  室内機本体。
【図１】
2017094115.tif 000003
【図２】
2017094115.tif 000004
【図３】
2017094115.tif 000005
【図４】
2017094115.tif 000006
【図５】
2017094115.tif 000007
【図６】
2017094115.tif 000008
【図７】
2017094115.tif 000009
【図８】
2017094115.tif 000010
【図９】
2017094115.tif 000011
【図１０】
2017094115.tif 000012
【図１１】
2017094115.tif 000013
【図１２】
2017094115.tif 000014
【図１３】
2017094115.tif 000015
【図１４】
2017094115.tif 000016
【図１５】
2017094115.tif 000017
【図１６】
2017094115.tif 000018
【図１７】
2017094115.tif 000019
【図１８】
2017094115.tif 000020
【図１９】
2017094115.tif 000021
【国際調査報告】
2017094115.tif 000022
2017094115.tif 000023